(57)【要約】【課題】  画サイズなどの変更を伴う記録モードの変更の際、記録動作を中断することなく変更できるようにする。【解決手段】  設定手段２で設定された記録モードに応じて、データ圧縮手段６で圧縮するビットレートを複数段階に変化させると共に、記録が行われている最中に、記録モードを所定の状態に変化させる指示があった場合に、変更前のビットレートでデータ圧縮された記録データによる現在記録中の記録単位を終了させ、終了処理中に入力又は生成した記録データをバッファメモリ８ａに蓄積させて、その蓄積された記録データから、変更後のビットレートでデータ圧縮させて新たな記録単位で記録させる制御を行うようにした。【選択図】    図１
2006221697.tif 000002
【特許請求の範囲】
【請求項１】
記録モードを設定する設定手段と、
入力又は生成した記録データを一時蓄積させるバッファメモリと、
前記バッファメモリに記憶された映像データを取り出して、所定のビットレートに圧縮するデータ圧縮手段と、
前記データ圧縮手段で圧縮された記録データを光ディスクに記録する記録手段と、
前記設定手段で設定された記録モードに応じて、前記データ圧縮手段で圧縮するビットレートを複数段階に変化させると共に、記録が行われている最中に、記録モードを所定の状態に変化させる前記設定手段からの指示があった場合に、変更前のビットレートでデータ圧縮された記録データによる現在記録中の記録単位を終了させ、終了処理中に入力又は生成した記録データを前記バッファメモリに蓄積させて、その蓄積された記録データから、変更後のビットレートでデータ圧縮させて新たな記録単位で記録させる制御を行う制御手段とを備えたことを特徴とする
光ディスク記録装置。
【請求項２】
請求項１記載の光ディスク記録装置において、
前記記録データは映像データであり、前記記録モードの所定の状態の変化は、映像の１フレームの画素数又はサイズを変えるモード変化であることを特徴とする
光ディスク記録装置。
【請求項３】
請求項１記載の光ディスク記録装置において、
前記記録手段での記録は、所定のデータ量ずつ間欠的に前記光ディスクに記録する記録であり、
前記制御手段は、前記間欠的な記録で記録待機状態である間に、前記記録単位の終了処理及び新たな記録単位の開始処理を行うことを特徴とする
光ディスク記録装置。
【請求項４】
請求項１記載の光ディスク記録装置において、
前記記録手段で記録中の前記光ディスクの残容量と、前記設定手段で設定された記録モードとに応じた残りの記録可能時間を表示する表示手段を備え、
前記制御手段は、前記記録モードの変更で前記表示手段の表示記録可能時間を対応した時間に変更することを特徴とする
光ディスク記録装置。
【請求項５】
記録モードを設定し、
入力又は生成した記録データを一時蓄積し、
記憶された映像データを取り出して、所定のビットレートに圧縮し、
圧縮された記録データを光ディスクに記録し、
設定された記録モードに応じて、圧縮するビットレートを複数段階に変化させると共に、記録が行われている最中に、記録モードを所定の状態に変化させる指示があった場合に、変更前のビットレートでデータ圧縮された記録データによる現在記録中の記録単位を終了させ、終了処理中に入力又は生成した記録データを蓄積させて、その蓄積された記録データから、変更後のビットレートでデータ圧縮させて新たな記録単位で記録させる制御を行うことを特徴とする
光ディスク記録方法。
【請求項６】
請求項５記載の光ディスク記録方法において、
前記記録データは映像データであり、前記記録モードの所定の状態の変化は、映像の１フレームの画素数又はサイズを変えるモード変化であることを特徴とする
光ディスク記録方法。
【請求項７】
請求項５記載の光ディスク記録方法において、
所定のデータ量ずつ間欠的に前記光ディスクに記録し、
前記間欠的な記録で記録待機状態である間に、前記記録単位の終了処理及び新たな記録単位の開始処理を行うことを特徴とする
光ディスク記録方法。
【請求項８】
請求項５記載の光ディスク記録方法において、
記録中の前記光ディスクの残容量と、設定された記録モードとに応じた残りの記録可能時間を表示し、
前記記録モードの変更で表示記録可能時間を対応した時間に変更することを特徴とする
光ディスク記録方法。
【発明の詳細な説明】
【技術分野】
【０００１】
本発明は、光ディスクに映像データなどを記録する光ディスク記録装置及び記録方法に関する。
【背景技術】
【０００２】
近年、映像、音声等のデジタルデータを記録する小型で大容量の記録媒体として、ＤＶＤ（Digital Versatile Disk）といった光ディスクが実用化されている。ＤＶＤ等のディスクは、ビデオテープと比べると、ランダムアクセスによる頭出し、あるいは、編集作業等を容易に行うことができ、操作性に優れており、広く一般に用いられるようになってきた。
【０００３】
また、従来、ビデオカメラとＶＴＲ（Video Tape Recorder）を一体に組み込んだカメラ一体型ＶＴＲが広く一般に普及しており、屋内外で使用されていた。そして近年では、ＤＶＤ等の光ディスクを記録媒体として用いたカメラ一体型光ディスク記録装置も市場に登場してきた。記録媒体に光ディスクを用いる場合、デジタルデータを記録／再生するため、画質／音声が向上すると共に、記録データの保存にも優れ、また、各種ＡＶ機器との接続も容易に行うことが可能である。
【０００４】
ＤＶＤの記録媒体には数種類あるが、例えばＤＶＤ−Ｒ（追記型ディスク）、ＤＶＤ−ＲＷ（書換え型ディスク）等の記録媒体が用いられる。ＤＶＤレコーダにより映像データを記録する際には、ＤＶＤの記録フォーマットに則り、チャプタまたはタイトルと称される記録単位が用いられる。例えばカメラ一体型ＤＶＤレコーダの場合には、記録開始／記録停止ボタンの度に“チャプタ“が設定され、インデックス画面上では各チャプタの代表画像が表示される。また、ディスクを取り出すとそれまでの記録がタイトルとして設定される。また、デッキタイプのＤＶＤレコーダの場合には録画開始ボタンを押して録画を開始させてから、録画停止ボタンが押されて、その録画が停止するまでの１単位の映像データの記録が、１タイトルのデータとして記録される場合が多い。ＤＶＤの１枚の光ディスクには、９９タイトルまで記録させることができる。
【０００５】
また、ＤＶＤレコーダでの映像データの記録時には、例えば、高画質モード（ＨＱ：High Quality）、標準モード（ＳＰ：Standard Play）、長時間モード（ＬＰ：Long Play）と称される、どれだけの画質で録画するかという記録モードの設定があり、ユーザが選択したそれぞれの記録モードによってＤＶＤ１枚に録画できる時間が異なる。そして、記録モードにより、ビットレートと画サイズ（１フレームの映像を構成する画素数で決まるサイズ）が決定される。ＨＱ、ＳＰ、ＬＰなどのモードの名称は、レコーダを製造するメーカによって異なる場合がある。
【０００６】
ビットレートには、フォーマット、使用するコーデック等により固定ビットレート（ＣＢＲ：Constant Bit Rate）と、可変ビットレート（ＶＢＲ：Variable Bit Rate）の二方式が使い分けられる。固定ビットレートでは、常に同じビットレートでエンコードを行う。一方、可変ビットレートでは状況によりビットレートを可変させ、データ量の無駄を最小にして画質を向上させることが可能である。通常、レコーダは可変ビットレートを用い、目標とするビットレート値としてターゲットビットレートを設定することで、この値でデータが記録されるようビットレートの制御を行う。なお、ターゲットビットレートの値は、ＨＱモードが一番高く、ＳＰ、ＬＰモードの順に低く設定される。
【０００７】
また、画サイズの値は、例えば、ＨＱ、ＳＰモードでは６４０×４８０ピクセル、ＬＰモードでは３２０×２４０ピクセルで設定され、この画サイズで映像データの記録が行われる。ＤＶＤの記録フォーマットにおいては、画サイズはタイトル毎に設定されるため、１タイトル内で画サイズが異なる映像データが混在することはない。
【０００８】
通常、光ディスク記録装置において、動画の記録はＭＰＥＧ（Moving Picture Experts Group）−２方式の圧縮技術が使われており、１枚の光ディスクに記録できるデータ量は決まっているために、記録可能な時間はＭＰＥＧストリームのビットレートによって定まる。ビットレートは記録対象映像の画サイズ、圧縮率等によって定まるが、記録対象映像の細かさ、動きの速さなどによってもビットレートはリアルタイムに変化する。平均ビットレートが一定になるように制御を行うと、記録可能時間はほぼ一定に保たれるため、光ディスクの残容量から残りの記録可能時間を計算することができる。
【０００９】
ところで、記録中に記録可能時間をもう少し延ばしたいという状況がある。例えば、記録可能な時間は残り５分であるが、記録対象の事象があと１０分位かかりそうな場合を想定する。このような場合、光ディスクを入れ替えるために記録を中断すると記録チャンスを逃してしまう可能性がある。また、予備の光ディスクがない場合、現在記録中の光ディスクにできる限り継続して記録を行うことができればよい。このようなとき、記録中に記録モードを変えることで記録可能時間を延長するという機能が望まれる。
【００１０】
特許文献１では、記録動作中にユーザが希望する記録可能時間を指定することでビットレートを計算し調整する技術が述べられている。
【特許文献１】特開２０００−３０３７０号公報（図４）
【発明の開示】
【発明が解決しようとする課題】
【００１１】
ところで、記録媒体にＤＶＤを想定した場合、記録可能時間を延長させるために、例えば、ＨＱ又はＳＰモード（画サイズ大）から、ＬＰモード（画サイズ小）へ記録モードを変更して、記録可能時間を延長したいケースがあるとする。このような記録モード変更の場合、上述したように、画サイズを変更させるモード変更であるため、一旦録画を停止させる操作を行った後、再度録画を開始させる操作が必要であり、これまでは記録動作を一旦中断しなければならなかった。
【００１２】
こうした記録動作の中断を避けるために、画サイズを変えず、ビットレートだけを低下させるようなモード変更を行うことで、記録動作を継続しながら、記録可能時間を延長させる処理が想定される。しかしながら、このような処理を行った場合、画サイズを変更させるよりも、ユーザは画質低下を顕著に認識してしまうという問題があった。
【００１３】
本発明はこのような状況に鑑みて成されたものであり、画サイズなどの変更を伴う記録モードの変更の際、記録動作を中断することなく記録可能時間を延長することを目的とする。
【課題を解決するための手段】
【００１４】
本発明は、設定された記録モードに応じて、圧縮するビットレートを複数段階に変化させると共に、記録が行われている最中に、記録モードを所定の状態に変化させる指示があった場合に、変更前のビットレートでデータ圧縮された記録データによる現在記録中の記録単位を終了させ、終了処理中に入力又は生成した記録データを蓄積させて、その蓄積された記録データから、変更後のビットレートでデータ圧縮させて新たな記録単位で記録させる制御を行うようにしたものである。
【００１５】
このようにしたことで、タイトルなどの記録単位で設定される記録条件を変更して、記録を連続的に行うことができる。
【発明の効果】
【００１６】
本発明によれば、タイトルなどの記録単位で設定される記録条件を変更して、記録を連続的に行うことができ、記録モードを変更させて連続的に記録が可能になる。
【００１７】
この場合、記録データは映像データであり、記録モードの所定の状態の変化は、映像の１フレームの画素数又はサイズを変えるモード変化であることで、１フレームの画素数又はサイズを変えるモード変更があっても、連続して映像データの記録を行うことができる。
【００１８】
また、記録は、所定のデータ量ずつ間欠的に光ディスクに記録する記録であり、間欠的な記録で記録待機状態である間に、記録単位の終了処理及び新たな記録単位の開始処理を行うことで、間欠記録の待機期間を利用して必要な処理が行われ、記録単位の終了処理や開始処理のために余計な処理時間を発生させずに記録が行える。
【００１９】
また、記録中の光ディスクの残容量と、設定された記録モードとに応じた残りの記録可能時間を表示し、記録モードの変更で表示記録可能時間を対応した時間に変更することで、モード変更を行った場合の記録可能時間が正確に判るようになる。
【発明を実施するための最良の形態】
【００２０】
以下、本発明の一実施の形態を、添付図面を参照して説明する。本実施の形態では、映像、音声データを光ディスクに記録する、カメラ一体型光ディスク記録装置に適用した例としてある。ここでは、記録媒体である光ディスクとして、ＤＶＤを使用した記録装置としてある。
【００２１】
まず、本例のカメラ一体型光ディスク記録装置の内部構成例について説明する。図１は、本例のカメラ一体型光ディスク記録装置１の内部構成例を示したブロック図である。カメラ一体型光ディスク記録装置１は、ケースが合成樹脂等で小型、薄型に形成しており、大容量の光ディスク１５を着脱可能とし、光ディスク１５の記録及び再生を行う機能を有している。
【００２２】
カメラ一体型光ディスク記録装置１は、ユーザが操作を行う操作部２と、被写体を撮像すると共にその映像信号を生成するカメラブロック５と、カメラブロック５で撮像された映像、又は光ディスク１５の再生映像等を表示させる出力部４と、機器制御を行うヒューマンインタフェース（Human Interface）処理ブロック２と、撮像映像の圧縮処理等を行うデータ処理ブロック６と、光ディスク１５の記録及び再生を行うドライブブロック７から構成される。
【００２３】
操作部２には、メニュー選択用のカーソルボタン等が配してあり、カメラ一体型光ディスク記録装置１の記録モードの設定、録画動作の開始、停止等の操作を行うことができる。そして、ヒューマンインタフェース処理ブロック３は、ヒューマンインタフェースを処理するブロックであり、カメラ一体型光ディスク記録装置１に対するユーザ操作を解釈し、カメラ一体型光ディスク記録装置１全体の電子機器を制御したり、出力部４への表示制御を行う。出力部４は、ＬＣＤ（Liquid Crystal Display）パネルやビューファインダ用ＬＣＤ、スピーカ、外部出力端子等で構成され、撮影／再生映像、及び操作メニューアイコン、環境数値等が表示される。
【００２４】
映像／音声の記録時には、図示しないＣＣＤ（Charge Coupled Device）イメージャ等の撮像素子とレンズ、及びマイクロフォン等を備えたカメラブロック５が、映像や音声として取り込んだアナログデータをデジタルデータに変換して、データ処理ブロック６に供給する。データ処理ブロック６は、カメラブロック５から供給されたデータに対して、ファイル圧縮のためのエンコード処理を施し、バッファメモリ８ａに蓄えていく。データ処理ブロック６における圧縮処理の詳細は後述するが、記録データの圧縮処理やその制御処理についても、データ処理ブロック６内で行われる。バッファメモリ８ａに蓄えられたデータは、所定の量に達するとドライブブロック７内のバッファメモリ８ｂに転送される。この転送速度は、データ処理ブロック６における圧縮処理によるデータ生成速度より十分に速いものである。
【００２５】
光ディスクへの記録再生を行う手段であるドライブブロック７では、バッファメモリ８ｂに蓄えたデータを読み出して、光ディスク１５に記録するための記録信号を作成し、その記録信号に基づいてピックアップ１０内のレーザ光源の駆動を行い、レーザ光源から照射されるレーザ光によって光ディスク１５にデータを書込む。この書込み速度は前出の圧縮処理によるデータ生成速度より十分に速いものである。この結果、次のデータが送られてくるまで、ドライブブロック７は待機状態となり、書込み動作と待機状態が繰返されるため、いわゆる間欠記録が行われる。
【００２６】
一方、映像／音声の再生時には、ドライブブロック７内のピックアップ１０によって光ディスク１５の記録データを読込む。読込まれた記録データは、データ処理ブロック６に供給され、デコード処理が施された後、映像データは出力部４に供給され、ＬＣＤパネルやビューファインダで映像表示が行われる。また、音声データは出力部４のスピーカによって放音される。あるいは、出力部４内の外部出力端子によって、外部のＡＶ機器に映像／音声データを供給することも可能である。また、データ処理ブロック６は、読み込んだ光ディスク１５の管理情報を元に、ドライブブロック７の動作をコントロールする役目も持つ。
【００２７】
なお、本例のカメラ一体型光ディスク記録装置１は、不揮発性メモリ２０を備えることで、ヒューマンインタフェース処理ブロック３を介して、ビデオデータやオーディオデータなどを記録し再生することもできる構成としてある。また、不揮発性メモリ２０には、パラメータ等の設定データも格納してあり、随時読み出すことが可能である。
【００２８】
次に、データ処理ブロック６の内部構成例を図２のブロック図を参照して説明する。映像／音声の記録時には、カメラブロック５から供給されたデータが、バッファメモリ８ａ内の原画データエリア２４に収められる。原画データエリア２４と、後述する圧縮データエリア２５では、２フレーム分のエリアが用意されて２フレーム分の映像データを格納できる構成としており、順次切り替えて使うことで処理時間が確保される。原画データエリア２４に収められたデータは、高速にデータ処理を行えるＤＳＰ（Digital Signal Processor）２１と、圧縮処理を行う圧縮エンジン２２によって、画サイズ変換等の圧縮処理が施され圧縮データエリア２５に収められる。なお、本例のＤＳＰ２１は、音声処理についても行うようにしてある。圧縮データエリア２５の圧縮データは、さらにＭＰＥＧ−２方式による変換処理を施された後、ストリームデータエリア２６へ移され制御部２３によって所定のブロック毎にヘッダを付加する等の加工が成される。加工後のデータは、ストリームデータエリア２６でバッファリングされ、所定の量を蓄えるとドライブブロック７内のバッファメモリ８ｂに転送される。なお、ＤＳＰ２１、圧縮エンジン２２、制御部２３、バッファメモリはシステムバスを介して互いにデータ通信する構成としてある。
【００２９】
ここで、ＤＳＰ２１、及び圧縮エンジン２２が、圧縮処理をどのように行っているかを説明する。映像記録時には、事前に操作部２のユーザ選択によって、複数の記録モード（例えば、高画質モード、標準モード、長時間モード）の内から一つの記録モードが選択されている。選択された記録モードはヒューマンインタフェース処理ブロック３によって管理され、データ処理ブロック６の制御部２３に記録モードの設定パラメータが供給される。制御部２３は受け取った記録モードから、ターゲットビットレートとデフォルト圧縮率を決定する。記録処理を行うとき、制御部２３はデフォルト圧縮率を圧縮エンジン２２に設定して、ＤＳＰ２１の高速演算により圧縮処理を開始する。圧縮率設定を変えない場合は、生成される圧縮データのビットレートは記録している対象映像によって変化するので、制御部２３はビットレートを監視し、所定の平均化を行って平均ビットレートを算出し、平均ビットレートがターゲットビットレートと一致する様に、圧縮エンジン２２の圧縮率設定を制御している。
【００３０】
ここで、本例のカメラ一体型光ディスク記録装置１を用いた映像記録動作における、各記録モードでの画サイズ、ビットレート、記録時間について具体的な数値の例を示す。
（１）ＨＱモード：６４０×４８０ピクセル，ビットレート高，２０分
（２）ＳＰモード：６４０×４８０ピクセル，ビットレート中，３０分
（３）ＬＰモード：３２０×２４０ピクセル，ビットレート低，６０分
ＤＶＤに記録する際には、予め記録モードを設定する必要があり、各記録モードに対して画サイズ、ビットレートが決定され、記録時間も変化する。例えば、ＨＱモードで撮影を行っている場合、画サイズは６４０×４８０ピクセルであり、ビットレートが高く設定されるため、２０分間だけ記録が行えることが分かる。このとき同時に第１のタイトルが決定される。今、ＨＱモードからＳＰモードに記録モードを変更した場合、画サイズは変化せず、圧縮率の操作だけでビットレートが低下する。このとき映像データは、引き続き第１のタイトルに記録することが可能であり、記録時間も延長される。ここで、ＳＰモードからＬＰモードに記録モードを変更すると、画サイズが３２０×２４０ピクセルに減少し、ビットレートが低下する。画サイズの変更は、タイトルの変更を伴うため、映像データは、第１のタイトルに継続して記録することができず、新しく、第２のタイトルに記録されることで記録時間が延長される。
【００３１】
次に、図３の記録中の記録モード変更に関するフローチャートを参照して、映像記録中に記録モード、画サイズを変更する処理の例について説明する。
【００３２】
まず、ユーザが記録モードを変更する操作を行ったかどうか判断する（ステップＳＴ１）。記録モードの変更操作がない場合は、処理を終了する。一方、記録モードの変更操作が行われた場合には、ヒューマンインタフェース処理ブロック３の管理により記録モードが変更される（ステップＳＴ２）。記録モードが変更されると、ヒューマンインタフェース処理ブロック３はデータ処理ブロック６内の制御部２３に対して記録モード変更の指示を出す。制御部２３は、ＤＳＰ２１と圧縮エンジン２２を制御して、都合の良いタイミングで新しく生成するデータに対して記録モードを変更する。
【００３３】
そして、画サイズの変更があるか判断する（ステップＳＴ３）。画サイズ変更がない場合（例えば、ＨＱモードからＳＰモードへの変更）、処理を終了する。画サイズ変更がある場合（例えば、ＳＰモードからＬＰモードへの変更）、制御部２３はフレームの切れ目までの映像デ−タを、ストリームデータエリア２６からドライブブロック７内のバッファメモリ８ｂに供給し、光ディスク１５への書込みを指示する（ステップＳＴ４）。そして、旧タイトルのストリームファイルを閉じる（ステップＳＴ５）。
【００３４】
そして、制御部２３は、旧タイトルのストリームファイルを閉じるための後処理を開始する。具体的には、録画情報を元にしてＶＴＳＩ（Video Title Set Information）と呼ばれる再生管理情報を作成し（ステップＳＴ６）、制御部２３の指示により、ドライブブロック７に送信して光ディスク１５に書込む（ステップＳＴ７）。これらの処理を行ってモードライブブロック７としてはもともと間欠記録を行っていた待機の時間が少しの間、書込み動作に専念することになるだけで、処理として破綻することはない。その後、ストリームデータエリア２６より、新タイトルのストリームファイルを開いて（ステップＳＴ８）、以降の処理は新タイトルの記録処理を行う。なお、旧タイトルのストリームファイルを閉じる処理と、新タイトルのストリームファイルを開く処理は、時間がかからない処理である。一方、録画情報を元に再生管理情報を作成する処理と、再生管理情報を光ディスク１５に書き込む処理は、ある程度の時間を要する処理である。
【００３５】
画サイズ変更に伴うタイトル変更の処理において、ストリームデータエリア２６に格納してあるストリームデータファイルは、リングバッファ状にアドレス管理してあるため、旧タイトルのクローズ処理、及び新タイトルのオープン処理がそれぞれ独立して並行処理される。通常のデータ記録処理では、バッファメモリ８ａ内のストリームデータエリア２６に一定の閾値を設けてあり、この閾値を超えた場合に蓄えたデータを一括してドライブブロック７内のバッファメモリ８ｂに転送して光ディスク１５に書き込んでいる。しかしながら、本例のようにデータ記録処理中に画サイズ変更を行う場合は、閾値に満たなくてもバッファメモリ８ｂへの転送処理を開始し、旧タイトルのデータを全て光ディスク１５に書き込むこととなる。
【００３６】
ここで、ドライブブロック７における間欠記録動作の例を、図４を参照して説明する。ここでは、図４(ａ)をＨＱモード、図４（ｂ）をＳＰモード、図４（ｃ）をＬＰモードとして各記録モードにおける間欠記録動作の例を示している。
【００３７】
記録動作は、光ディスク１５への書込み速度が、データ処理ブロック６でのデータ生成速度よりも十分速いため、書込みと待機を交互に繰り返す間欠記録状態になる。図４（ａ）のＨＱモードでは、頻繁に書込みが行われるため待機時間が短くなる。しかしながら、図４（ｂ）のＳＰモード、及び図４（ｃ）のＬＰモードでは、順に書込み頻度が減少しているため、待機時間が長くなる。なお、具体的な間欠記録の例を示すと、光ディスク１５への書込み時間は、どの記録モードでも１回につき約５〜６秒間である。そして、ＨＱモードでは、約１１秒毎に１回書込みが行われるが、ＬＰモードでは、約３３秒毎に１回書込みが行われるというように、ターゲットビットレートが下がるにつれて単位時間のデータ生成量が減るため、ＨＱ，ＳＰ，ＬＰモード領域の順に待機中の時間的割合が増えることが分かる。これにより、間欠記録の待機時間は十分確保することができるため、この間にストリームファイルのオープン、クローズ処理を行うことが可能となる。なお、この例で挙げた間欠記録の各時間の数値はバッファサイズやバッファ余裕の設定などによって異なる。
【００３８】
この時、旧タイトルの映像データを光ディスク１５に書き込んでいる処理と並行して、新タイトルの映像データをバッファメモリ８ａに格納しているため、上述した新タイトルのストリームファイルを開く処理（ステップＳＴ８）が実行されると速やかに新タイトルでの記録処理に遷移可能である。このため、ユーザは記録処理を中断することなく画サイズを変更することが可能であり、記録可能時間を延長できるという効果がある。
【００３９】
また、光ディスク１５の残容量、及び、バッファメモリ８ａ，８ｂのデ−タ量は、デ−タ処理ブロック６内の制御部２３が常時管理している。制御部２３は、ユーザが記録モードを変えた場合の記録可能時間を計算し、その結果をヒューマンインタフェース処理ブロック３へ常時渡している。これによってヒューマンインタフェース処理ブロック３は、記録モードを変えることによって記録可能時間がどのように変化するかの情報を出力部４のＬＣＤディスプレイ等に表示して、ユーザに示すことが可能であり、ユーザは記録モードを変更するための判断材料を得ることができるという効果がある。
【００４０】
また、記録可能な残り時間が所定時間(例えば、残り１０分)になったら、自動的に残り時間を出力部４のＬＣＤディスプレイ等に表示させるようにしてもよい。こうすることでユーザに記録可能な残り時間について注意を促すことができるため、ユーザは、記録モードの変更による撮影時間の延長、又は予備の光ディスクに入れ替える等の動作を選択することが可能であり、記録中に突然記録終了することによる撮影機会の喪失といった事態を免れる可能性が高まる。
【００４１】
また、記録モードを切り替えて記録可能時間の延長を行う操作の前に、それぞれの記録モードを適用したときの記録可能時間を出力部４のＬＣＤディスプレイ等に表示させるようにしてもよい。例えば、残り時間が、ＨＱモードでは５分、ＳＰモードでは７分、ＬＰモードでは１５分というようにメニュー表示させて、ユーザに記録モードの選択をさせるようにしてもよい。
【００４２】
なお、上述した実施の形態では、画サイズが変更される記録モード変更として、映像の１フレームを構成する画素数を変更させるモード変更としたが、例えば録画される映像の各フレームのアスペクト比を、１６：９のワイドサイズから４：３のスタンダードサイズへ変換する記録モード変更を録画中に行った場合にも、上述した実施の形態と同様に、記録タイトルを終了させる処理と新たなタイトルを開く処理を行って、連続的に記録させるようにしてもよい。
【００４３】
また、上述した実施の形態では、記録媒体としてＤＶＤを使用したカメラ一体型光ディスク記録装置に適用した例としたが、カメラ一体型でないＤＶＤレコーダにも本発明は適用可能であると共に、ＤＶＤ以外の光ディスクに記録を行う光ディスク記録装置にも本発明は適用可能である。上述した実施の形態では、記録媒体としてＤＶＤを使用したので、タイトルと称される記録単位の終了処理及び開始処理を行うようにしたが、適用される記録媒体で規定された記録単位について、同様の終了処理及び開始処理を行うようにすればよい。光ディスクに記録するデータについても、映像・音声データ以外の圧縮率を可変設定できるデータあれば、適用可能である。カメラ一体型レコーダの場合には、装置の内部で生成された映像データなどを記録データとしたが、他のレコーダの場合には、例えば外部入力端子に入力したデータを記録するようにしてもよい。
【図面の簡単な説明】
【００４４】
【図１】本発明の一実施の形態におけるカメラ一体型光ディスク記録装置の内部構成例を示したブロック図である。
【図２】本発明の一実施の形態におけるデータ処理ブロックの内部構成例を示したブロック図である。
【図３】本発明の一実施の形態における記録中の記録モード変更の例を示したフローチャートである。
【図４】本発明の一実施の形態における記録モード毎の間欠記録動作の例を示した説明図である。
【符号の説明】
【００４５】
１…カメラ一体型光ディスク記録装置、２…操作部、３…ヒューマンインタフェース処理ブロック、４…出力部、５…カメラブロック、６…データ処理ブロック、７…ドライブブロック、８ａ，８ｂ…バッファメモリ、１０…ピックアップ、１５…光ディスク、２０…不揮発性メモリ、２１…ＤＳＰ、２２…圧縮エンジン、２３…制御部、２４…原画データエリア、２５…圧縮データエリア、２６…ストリームデータエリア
【図１】
2006221697.tif 000003
【図２】
2006221697.tif 000004
【図３】
2006221697.tif 000005
【図４】
2006221697.tif 000006